(57)【要約】【課題】交換可能な電池を利用するリモコン送信機で、設定等を記憶できるリモコン送信機では、電池残量がなくなり駆動電圧が得られなくなると、設定などが消えてしまい、再設定をする必要があった。【解決手段】リモコン送信機に電池の残量を表示しつつ、電源電圧が低下すると設定などのデータを揮発性記憶手段から不揮発性記憶手段に移動する。また、電池交換などで電源電圧が戻ると、データを不揮発性記憶手段から揮発性記憶手段に移動する。【選択図】  図３
2008288843.tif 000002
【特許請求の範囲】
【請求項１】
ボタンの操作手段と、
上記操作手段で操作した操作を検知して対応する信号を外部の本体に送信する送信手段と、
交換可能であって、駆動電圧を供給する電池と、
を備えたリモコンであって、
上記リモコンの設定などのデータを記憶する揮発性記憶手段と、
上記電池の残量を表示する表示手段と、
上記表示手段で電池の残量の表示が電池の残量が一定以上と表示しているかを検出する検出手段と、
所定の条件になると、上記揮発性記憶手段から不揮発性記憶手段へデータを移動させ、所定の条件になると、上記不揮発性記憶手段から上記揮発性記憶手段へデータを移動させる制御をする制御手段とを備えていることを特徴とするリモコン送信機。
【請求項２】
上記制御手段は、上記検出手段で、上記電池の残量が一定以下と検出すると上記揮発性記憶手段から上記不揮発性記憶手段へデータを移動し、上記電池の残量が一定以上と検出すると上記不揮発性記憶手段から上記揮発性記憶手段へデータを移動させることを特徴とする請求項１に記載のリモコン送信機。
【請求項３】
上記不揮発性記憶手段は、外部記憶装置であることを特徴とする請求項１または請求項２に記載のリモコン送信機。
【請求項４】
上記制御手段と上記検出手段を兼ねるマイコンを備えており、
上記不揮発性記憶手段は、外部メモリとしてのＳＤカードであって、
上記表示手段は、３つの表示部を有しており、
それぞれの表示部は、
上記電池からの電圧を各々異なる割合となるように分圧する分圧回路と、
同分圧回路にて分圧された一の電圧と、上記マイコンから出力された基準電圧を比較する比較器と、
上記比較器での比較の結果、上記電池からの電圧を分圧した電圧の方が大きいときに発光する発光ダイオードと、を備えており、
上記マイコンは、上記検知手段及び制御手段として働き、
上記検出手段は、上記表示手段の中で、分圧した電圧が２番目に低い表示部の発光ダイオードへの電流が検出されるときには、上記電池の残量を一定以上と検出し、検出されないときには、上記電池の残量を一定以下と検出し、
上記制御手段は、電池の残量が一定以下であると検出すると上記揮発性記憶手段から上記不揮発性記憶手段へデータを移動させる制御をし、電池の残量が一定以上であると検出すると、上記不揮発性記憶手段から上記揮発性記憶手段へデータを移動させることを特徴とする請求項１に記載のリモコン送信機。
【発明の詳細な説明】
【技術分野】
【０００１】
この発明は、交換可能な電池で駆動し、設定などを記憶できるリモコン送信機に関する。
【背景技術】
【０００２】
テレビジョンに付属でないリモコンに、テレビジョンのメーカごとの番号などを記憶させ、テレビジョンの操作などをする技術が知られている。その他にもリモコンに様々なメモリ機能を搭載し、設定を記憶させたりする技術も知られている。
【０００３】
また、従来、交換可能な電池で駆動するリモコンの電池残量を表示する技術として次のようなものが知られている。
例えば、特許文献１や特許文献２では、特定のキーが入力されたときだけ、電池の残量を表示する構成が開示されている。
【特許文献１】特開２００５−１３６８７４号公報
【特許文献２】特開平５−２２７７２号公報
【発明の開示】
【発明が解決しようとする課題】
【０００４】
上記特許文献1や上記特許文献２では、電池の残量が表示されるため、電池交換の磁気を判断することはできる。しかし、電池の残量が減っていても、交換する際などに、設定等は消えてしまうことがある。また、残量が表示されていても、電池が手元にないなどの理由で交換されず、電池残量がなくなり、設定などが消えてしまうことがある。
【０００５】
この発明は、こうした実情に鑑みてなされたものであり、電池の残量を表示しつつ、電池の残量が少なくなったことを検知すると、揮発性記憶手段に記憶されていた設定等を不揮発性記憶手段に移動することができるリモコン送信機の提供を目的とする。
【課題を解決するための手段】
【０００６】
上記目的を達成するために、主たる発明のリモコン送信機は、ボタンなどの操作手段と、上記操作手段で操作した操作を検知して対応する信号を外部の本体に送信する送信手段と、交換可能であって、駆動電圧を供給する電池と、を備えたリモコンであって、上記リモコンの設定などのデータを記憶する揮発性記憶手段と、上記電池の残量を表示する表示手段と、上記表示手段で電池の残量の表示が電池の残量が一定以上と表示しているかを検出する検出手段と、所定の条件になると、上記揮発性記憶手段から不揮発性記憶手段へデータを移動させ、所定の条件になると、上記不揮発性記憶手段から上記揮発性手段へデータを移動させる制御をする制御手段とを備えている構成としてある。
本発明の他の特徴については、本明細書及び添付図面の記載により明らかにする。
【発明を実施するための最良の形態】
【０００７】
本明細書及び添付図面の記載により、少なくとも、以下の事項が明らかとなる。
【０００８】
上記主たる発明の構成では、電池の残量を検知し、所定の条件になるとデータを不揮発性記憶手段と揮発性記憶手段の間のデータを移動させる。このように構成すると、電池の残量が減ったとき等所定の条件になった際に、不揮発性記憶手段から揮発性記憶手段にデータを移動することで、不揮発性記憶手段からデータが消えてしまうことを防ぐことができる。また、電池を交換した等で、電池の残量が十分になったとき等所定の条件になったには、不揮発性記憶手段から揮発性手段にデータを戻すことができる。
【０００９】
上記制御手段の一例として、上記検出手段で、電池の残量が一定以下と検出すると上記揮発性記憶手段から上記不揮発性記憶手段へデータを移動し、電池の残量が一定以上と検出すると上記不揮発性記憶手段から上記揮発性記憶手段へデータを移動させる構成とすることができる。
このような構成では、電池の残量が少なくなると、データを移動させるため、残量がなくなってデータが消えてしまうことを防ぐことができる。
【００１０】
上記不揮発性記憶手段の一例として、外部記憶装置である構成とすることができる。ここでいう外部記憶装置とは、ＳＤカードなどの書き込み可能な記憶装置で、リモコンに適合する差込口等に挿入して利用する。この場合には、必要なときだけ不揮発性記憶手段を備えることで、リモコン本体に不揮発性記憶手段を用意する必要がないため、リモコン本体の値段を抑えることができる。また、場合によってはリモコンのデータを他のリモコンに移すことも可能である。
【００１１】
また、更に具体的な構成として、本発明では、上記制御手段と上記検出手段を兼ねるマイコンを備えており、上記不揮発性記憶手段は、外部メモリとしてのＳＤカードであって、上記表示手段は、３つの表示部を有しており、それぞれの表示部は、上記電池からの電圧を分圧した電圧と、上記マイコンから出力された基準電圧を比較する比較器と、上記比較器での比較の結果、電池からの電圧を分圧した電圧の方が大きいときに発光する発光ダイオードと、を備えており、上記マイコンは、上記検知手段及び制御手段として働き、上記検出手段は、上記表示手段の中で、分圧した電圧が２番目に低い表示部の発光ダイオードへの電流が検出されるときには、電池の残量を一定以上と検出し、検出されないときには、電池の残量を一定以下と検出し、上記制御手段は、電池の残量が一定以下であると検出すると上記揮発性記憶手段から上記不揮発性記憶手段へデータを移動させる制御をし、電池の残量が一定以上であると検出すると、上記不揮発性記憶手段から上記揮発性記憶手段へデータを移動させる構成とすることができる。
更に具体的に構成された上記発明では、上述した各構成と同様の効果を奏することはいうまでもない。
【００１２】
以下、添付図面にもとづいて、本発明をリモコンにおいて具現化した実施例について説明する。
【００１３】
図１は、本実施例におけるリモコン送信機１００を斜め前方から見た斜視図である。なお、当該リモコン送信機１００について、本願発明と直接関連しない構造については、詳細な説明、及び図示を省略する。
同図においてリモコン送信機１００は、電源ボタン１１とその他の操作ボタン１２と赤外線ダイオード１３と電池残量表示５０とＳＤカード挿入口１５などから構成されている。
【００１４】
電源ボタン１１と操作ボタン１２は、テレビジョンなどの外部にある受信側本体に対する操作手段として働く。電源ボタン１１や操作ボタン１２が押されると、リモコン内部にある接点パターン４３が導通し、マイコン４１がこれを検知する。マイコン４１は、接点パターン４３の導通信号を受け、受信側本体に対する命令を生成し、赤外線ダイオード１３から信号を送信する送信手段として働く。
【００１５】
ここで、リモコン送信機１００は、ＤＶＤ用のリモコンで他のメーカのテレビなどの設定ができるようにしたもので、そのためにあらかじめリモコン送信機１００に設定などのデータを記憶しておく必要がある。ユーザのニーズにあわせて、様々な設定を学習させることができるリモコンなどにも利用することができる。
【００１６】
電池残量表示部５０は、電池の残量に応じて、点灯あるいは消灯する。電池の残量が十分ある場合には全て点灯し、残量が少なくなってくると１つずつ消灯し、電池３０の交換時期になると、１つのみ点灯する。
【００１７】
ＳＤカード挿入口１５は、不揮発性の外部記憶手段であるＳＤカード２０を挿入するための挿入口である。なお、ここでは不揮発性記憶手段４４としてＳＤカード２０を用いるため、リモコン送信機１００にＳＤカード挿入口１５を設けているが、他の不揮発性記憶手段の場合にはその媒体に応じた挿入口もしくは接続口を設ける。ＳＤカードなどの不揮発性で書き込み可能な外部記憶手段は、デジタルカメラなどで使用するため、一般家庭に普及しており、このリモコン送信機１００のためだけに用意する必要がないため、ユーザにとっても負担はない。
【００１８】
図２は、リモコン送信機１００を斜め後方から見た斜視図である。
リモコン送信機１００には電池収納部１６と電池カバー１７が設けられている。電池３０を電池収納部１６に入れた後、電池３０の上部に電池カバー１７をスライドしてはめ、同電池３０を格納する。
【００１９】
図３は、リモコン送信機１００のブロック図及び電池残量表示５０の回路図である。
まず、電池残量表示部５０について説明する。電池残量表示部５０は、３つの表示部から成り立っており、それぞれリモコンの表面に出る発光ダイオード５１ａ〜５１ｃと、抵抗５２ａ〜５２ｃと、比較器５３ａ〜５３ｃと、抵抗５４ａ〜５４ｃと、で構成されている。
【００２０】
電源３１の電源電圧Ｖｃｃは、抵抗５５と直列接続された抵抗５４ａ〜５４ｃで３段階に分圧する。
抵抗５４ａで分圧された電圧と、マイコン４１から出力される基準電圧とが比較される。比較した結果、電源電圧の方が高ければ、比較器５３ａの出力がＨｉになり、抵抗５２ａで電流が制限されて、発光ダイオード５１ａを発光させる。
【００２１】
これと同じことを他の２つの表示部でも行う。抵抗５４ａと直列で接続された抵抗５４ｂで分圧するので、比較器５３ｂに入る分圧された電圧は比較器５３ａに入る電圧より低い。また、抵抗５４ａと抵抗５４ｂと直列で接続された抵抗５４ｃで分圧するので、比較器５３ｃに入る分圧された電圧は比較器５３ｂに入る電圧より低い。
【００２２】
従って、最初は、すべての発光ダイオード５１ａ〜ｃが発光しているが、電源電圧Ｖｃｃが下がると最初に発光ダイオード５１ｃが消灯する。さらに電源電圧Ｖｃｃが下がると、発光ダイオード５１ｂも消灯する。
マイコン４１から出力される基準電圧は、電池３０の交換目安となる電圧に設定しておく。すると、電池３０の交換時期になると、発光ダイオード５１ａしか点灯しないため、電池残量が残りが少ないことが見てわかるようになる。
【００２３】
次に、揮発性記憶手段４２と不揮発性記憶手段４４との間のデータの移動について図４のフローチャートを用いて説明する。
ステップＳ１００では、比較器５３ｂと抵抗５２ｂの間に電流が流れているかを検知する。具体的には、マイコンは電源電圧Ｖｃｃを分圧した電圧に基づいて比較器５３ｂがＨｉ出力となっているか判断する。比較器５３ｂの出力がＬｏであれば、比較器５３ｂと抵抗５２ｂの間の電位は接地電位であるし、比較器５３ｂの出力がＨｉであれば、比較器５３ｂと抵抗５２ｂの間の電位はＨｉ側に引き上げられている。その結果、マイコン４１は、ステップＳ１１０にこの間の電位がＬｏとなると、電池３０の残量が少なくなったと判断し、ステップＳ１３０にて揮発性記憶手段４２にある設定などのデータを不揮発性記憶手段４４に移動する（データバックアップ）。 
この際、不揮発性記憶手段４４がＳＤカード２０などの外部記憶装置の場合には、マイコン４１は移動する前に、ステップＳ１２０にて不揮発性記憶手段４４が接続されているかを確認する。 
【００２４】
一方、ステップＳ１１０にて比較器５３ｂと抵抗５２ｂの間の電位がＨｉであると判断されると、ステップＳ１４０にて不揮発性記憶手段４４にデータがあるか判断するとともに、揮発性記憶手段４２にデータがないか判断する。。そして、不揮発性記憶手段４４にデータがあり、かつ揮発性記憶手段４２にデータがなければ、マイコン４１は不揮発性記憶手段４４にあるデータを揮発性記憶手段４２に移動する（データロード）。 
【００２５】
電池３０の残量が十分にあるときには、電源電圧Ｖｃｃを分圧した最も低い抵抗５４ｂと抵抗５４ｃとの間の電位も、マイコン４１が出力する基準電圧よりも高いため、全ての比較器５３ａ〜５３ｃの出力はＨｉとなり、発光ダイオード５１ａ〜５１ｃのすべてが点灯する。このため、ユーザは電池残量が十分あることを知ることができる。
リモコン送信機１００の使用により、電池３０の残量が減少してくると、電源電圧Ｖｃｃが徐々に下がり、同電源電圧Ｖｃｃを分圧した最も低い抵抗５４ｂと抵抗５４ｃとの間の電位は、マイコン４１が出力する基準電圧よりも低くなる。すると、比較器５３ｃでの判断だけがマイコン４１の基準電圧の方が高いことを示すＬｏとなる。このため、 発光ダイオード５１ａと５１ｂが点灯し、発光ダイオード５１ｃが消灯する。このため、ユーザは電池３０の残量の減少を知ることができる。この際、ユーザは設定などのデータを保存したければ、ＳＤカード２０をあらかじめ装着しておくこともできる。また、ＳＤカード２０をあらかじめ装着することはなくても、準備をしておく必要があることを認識することができる。
【００２６】
電池３０の交換時期になると、電源電圧Ｖｃｃがさらに下がり、同電源電圧Ｖｃｃを分圧した抵抗５４ａと抵抗５４ｂとの間の電位もマイコン４１が出力する基準電圧より低くなる。すると、比較器５３ｂ，５３ｃでの判断がマイコン４１の基準電圧の方が高いことを示すＬｏとなる。このため、発光ダイオード５１ａのみが点灯し、発光ダイオード５１ｂ、５１ｃが消灯する。マイコン４１は、ステップＳ１００にて比較器５３ｂと抵抗５２ｂとの間の電位を検出しており、同比較器５３ｂの出力がＬｏとなると、ステップＳ１１０での判断がＮｏとなる。このため、マイコン４１はステップＳ１３０にて揮発性記憶手段４２に記憶されているデータを不揮発性記憶手段４４に保存し、データバックアップを行う。 この際、ＳＤカード２０が装着されていれば、ステップＳ１２０の判断を経て、設定などのデータはリモコン送信機１００の揮発性記憶手段４２からＳＤカード２０に移動される。
【００２７】
電池３０の交換が行われると、再び電源電圧Ｖｃｃが正規の電圧値まで上昇するため、電源電圧Ｖｃｃを分圧した最も低い抵抗５４ｂと抵抗５４ｃとの間の電位も、マイコン４１が出力する基準電圧よりも高くなり、全ての比較器５３ａ〜５３ｃの出力はＨｉとなって発光ダイオード５１ａ〜５１ｃのすべてが点灯する。ステップＳ１１０にて、マイコン４１は、比較器５３ｂと抵抗５２ｂの間の電位がＨｉであると判断すると、ステップＳ１４０にて、ＳＤカード２０などの不揮発性記憶手段４４にデータがあるかを確認するとともに、揮発性記憶手段４２にデータがないかも確認し、それぞれのデータを確認すると、ステップＳ１５０にて、データを揮発性記憶手段４２にロードする。
なお、電源電圧Ｖｃｃが徐々に下がってくるまで、マイコン４１は、ステップＳ１１０にて比較器５３ｂの出力がＨｉであると検知しており、この時点でもデータロードを実施しそうである。しかし、マイコン４１はステップＳ１４０にて不揮発性記憶手段４４にデータがある場合に加えて、揮発性記憶手段４２にデータがないことも確認した上でのみ、データロードを実施するため、一度、不揮発性記憶手段４４から揮発性記憶手段４２にデータロードすれば以降はデータロードすることはない。
【００２８】
これにより、リモコン送信機１００の使用により、電源電圧が下がった場合には、マイコン４１は、揮発性記憶手段４２から不揮発性記憶手段４４にデータを移動する。また、電池３０を交換するなどして、電源電圧が上がったときには、不揮発性記憶手段４４にあるデータを揮発性記憶手段４２に移動する。このようにすることで、リモコンの設定データを保存しておくことができる。
また、電源の残量表示を併用することで、不揮発性記憶手段４４がＳＤカードなどの外部記憶装置だった場合に、利用者が外部記憶装置をセットすることができる。
【００２９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３０】
【図１】リモコン送信機を前方から見た斜視図である。
【図２】リモコン送信機を後方から見た斜視図である。
【図３】リモコン送信機のブロック図と電池残量表示の回路図である。
【図４】リモコン送信機のデータ移動のフローチャートである。
【符号の説明】
【００３１】
１１…電源ボタン、１２…操作ボタン、１３…赤外線ダイオード、１５…ＳＤカード挿入口、１６…電池収納部、１７…電池カバー、３０…電池、３１…電源、４１…マイコン、４２…揮発性記憶手段、４３…接点パターン、４４…不揮発性記憶手段、５０…電池残量表示部、５１…発光ダイオード、５２…抵抗、５３…比較器、５４…抵抗、５５…抵抗、１００…リモコン送信機
【図１】
2008288843.tif 000003
【図２】
2008288843.tif 000004
【図３】
2008288843.tif 000005
【図４】
2008288843.tif 000006